(57)【特許請求の範囲】
【請求項１】
本体上部を開閉する蓋部を回動自在に連結する貯蔵庫のヒンジ装置において、
前記本体と前記蓋部のうちいずれか一つに固定される中空のハウジングと、
該ハウジング内に回動自在に設けられ半径方向に長軸と短軸の外径を有するカム部と、
該カム部から前記ハウジングの外部に延びて前記本体と前記蓋部のうちで前記ハウジングが固定されない側に固定される固定部を備えるヒンジ軸と、
前記カム部の外面を加圧するように前記ハウジング内に設けられる互いに別体である一対の板バネと、を備え、
前記一対の板バネ間の空間には前記蓋部の開閉時緩衝が可能なように所定の弾性を有する緩衝部材が設けられることを特徴とする貯蔵庫のヒンジ装置。
【請求項２】
前記一対の板バネは、相互平行をなしたまま前記カム部の外面に密着設置され、それぞれの両端が前記ハウジングの内面に形成された保持溝に結合されることを特徴とする請求項１に記載の貯蔵庫のヒンジ装置。
【請求項３】
前記カム部の外面は、回動中心に対して回転対称位置にそれぞれ位置した二つの曲面部と二つの角部、相互隣接する前記曲面部と前記角部との間の平面部を備えることを特徴とする請求項１に記載の貯蔵庫のヒンジ装置。
【請求項４】
前記カム部の平面部は、前記蓋部が完全に開いた状態又は閉まった状態で前記板バネにより加圧される時、前記ヒンジ軸の開閉方向に回転しようとする力を有するよう前記板バネの表面から延びる水平方向接線について所定角度に傾斜した状態を維持するよう設けられることを特徴とする請求項３に記載の貯蔵庫のヒンジ装置。
【請求項５】
前記ヒンジ軸のカム部には前記蓋部の開放状態を制限できるよう突出された係止爪が形成され、前記ハウジングの内面には前記係止爪がかかる回動制限爪が形成されることを特徴とする請求項１に記載の貯蔵庫のヒンジ装置。
【請求項６】
前記ハウジングは、一側に前記ヒンジ軸の固定部が嵌着される貫通孔が形成され他側が開放された胴体部と、該胴体部の開放部分を覆い前記ヒンジ軸のカム部側の一端に回動自在に結合される貫通孔が形成されたカバー部と、を備えることを特徴とする請求項１に記載の貯蔵庫のヒンジ装置。
【請求項７】
前記カム部の外面には前記板バネとの摩擦を最小化できるよう潤滑剤が収容される一つ以上の潤滑剤収容溝が形成されることを特徴とする請求項１に記載の貯蔵庫のヒンジ装置。
【発明の詳細な説明】
【０００１】
【発明の属する技術分野】
本発明は貯蔵庫のヒンジ装置に係り、さらに詳しくは上部開閉型貯蔵室が形成された本体と貯蔵室の上部を覆う蓋部を回動自在に連結する貯蔵庫のヒンジ装置に関する。
【０００２】
【従来の技術】
一般に、上部開放型貯蔵庫としては、本体上部の蓋部が回動して開閉するように構成された通常のキムチ貯蔵庫がある。図１に示した通り、キムチ貯蔵庫は内部に上部が開放される貯蔵室２が形成された本体１と、貯蔵室２の開放された上部を開閉する蓋部３と、蓋部３と本体１を回動自在に連結するよう本体１の後方上部に設けられるヒンジ装置４と、を備える。
【０００３】
このような貯蔵庫においてヒンジ装置４は、本体１の後方上部に設けられるヒンジケース４ａを備え、該ヒンジケース４ａの内部に蓋部３と本体１を回動自在に連結するヒンジ軸４ｂが設けられる。また、ヒンジケース４ａ内には蓋部３を開閉する時蓋部３の開閉方向に回動させる伸縮ロッド４ｃと、伸縮ロッド４cを保持するコイルバネ４ｄが備えられ、伸縮ロッド４ｃの伸縮及び回動を案内するための案内溝４ｅが設けられる。このような構成は通常ユーザが貯蔵庫の蓋部３を開ける時蓋部が開く方向に回動するようにし、蓋部を閉める時蓋部が閉まる方向に回動するようにして蓋部５の容易な開閉を可能にする。
【０００４】
しかし、従来の貯蔵庫のヒンジ装置は、装置の構成が複雑で体積が大きいのみならず、貯蔵庫を製造する過程においてこれを装着し難い問題があった。また、従来のヒンジ装置は伸縮ロッド４ｃの動作特性上ヒンジ装置４が本体１の外側に突設するように設けられるので外観上良くないのみならず、突出するヒンジ装置４により貯蔵庫の使い勝手が良くないといった問題点があった。
【０００５】
【発明が解決しようとする課題】
本発明は前述した問題点を解決するために案出されたもので、その目的はヒンジ装置の小型化を通してヒンジ装置が本体の外部に突出しないようにすることで貯蔵庫の外観を良くするのみならず、貯蔵庫の設置のための占有空間を縮めて使い勝手を良くする貯蔵庫のヒンジ装置を提供するところにある。
【０００６】
本発明の他の目的は、ヒンジ装置を小型化し構造が簡単になることにより製作と設置を容易にする貯蔵庫のヒンジ装置を提供するところにある。
【０００７】
【課題を解決するための手段】
以上のような目的を達成するための本発明は、本体上部を開閉する蓋部を回動自在に連結する貯蔵庫のヒンジ装置において、前記本体と前記蓋部のうちいずれか一つに固定される中空のハウジングと、該ハウジング内に回動自在に設けられ半径方向に長軸と短軸の外径を有するカム部と、該カム部から前記ハウジングの外部に延びて前記本体と前記蓋部のうちで前記ハウジングが固定されない側に固定される固定部を備えるヒンジ軸と、前記カム部の外面を加圧するよう前記ハウジング内に設けられる一対の板バネと、を備えることを特徴とする。
【０００８】
また、前記カム部の外面は、回動中心に対して回転対称位置にそれぞれ位置した二つの曲面部と二つの角部、相互隣接する前記曲面部と前記角部との間の平面部を備えることを特徴とする。
【０００９】
そして、前記一対の板バネは相互平行を維持した状態で前記カム部の外面に密着設置され、それぞれの両端が前記ハウジングの内面に形成された保持溝に結合されることを特徴とする。
【００１０】
そして、前記カム部の平面部は、前記蓋部の開閉状態で前記板バネにより加圧される時前記ヒンジ軸の開閉方向に回転しようとする力を有するよう前記板バネの表面について所定角度に傾いた傾斜面よりなることを特徴とする。
【００１１】
また、前記一対の板バネ間の空間には前記蓋部の開閉時緩衝可能なように所定の弾性を有する緩衝部材が設けられることを特徴とする。
【００１２】
そして、前記ヒンジ軸のカム部には前記蓋部の開放状態を制限できるよう突出された係止爪が形成され、前記ハウジングの内面には前記係止爪がかかる回動制限爪が形成されることを特徴とする。
【００１３】
また、前記ハウジングは、一側に前記ヒンジ軸の固定部が嵌着される貫通孔が形成され他側が開放された胴体部と、該胴体部の開放された部分を覆い前記ヒンジ軸のカム部が回動自在に結合される貫通孔が形成されたカバー部を備えることを特徴とする。
【００１４】
そして、前記カム部の外面には前記板バネとの摩擦を最小化できるよう潤滑剤が収容される一つ以上の潤滑剤収容溝が形成されることを特徴とする。
【００１５】
【発明の実施の形態】
以下、添付した図面に基づき本発明に係る望ましい実施形態を詳述する。また、以下の説明では本発明に係るヒンジ装置が通常の上部開放型キムチ貯蔵庫に適用された場合を一例として説明する。
【００１６】
本発明に係るヒンジ装置が適用されるキムチ貯蔵庫は、図２および図３に示した通り、断熱体で構成され内部に上部が開放される貯蔵室１１が形成された本体１０と、貯蔵室１１の上部を開閉できるよう本体１０の上部に結合される蓋部２０と、を備える。本体１０の内部に形成される貯蔵室１１は中央の区画板１２を通して左右両側空間に区画されている。また、各貯蔵室１１内の外面には貯蔵室１１の内部空間を冷却させるためのものとして冷媒管で構成される蒸発機１３と、キムチの熟成のためのものとして通常の電熱線で構成されるヒータ１４が設けられる。符号１５は本体１０の下部の機械室１６に設けられる通常の圧縮機である。
【００１７】
本体１０の上部を開閉する蓋部２０は、両側に区画された各貯蔵室１１の上部を開閉できるように二つが設けられ、各蓋部２０の後方はヒンジ装置３０を通して本体１０について回動して開閉されるよう連結されている。
【００１８】
ここで、ヒンジ装置３０は本体１０と蓋部２０を回動自在に連結する機能を行うのみならず、通常のキムチ貯蔵庫の蓋部２０が断熱体で構成されることにより所定の重さを有することに鑑みて、ユーザが蓋部２０を開ける時蓋部２０が開く方向Ａに回動し、蓋部２０を閉める時蓋部２０が閉まる方向に回動するようにして蓋部２０の容易な開閉を可能にする。また、本発明はこのような機能を行うヒンジ装置３０が小型化されて本体１０の外部に突出しないよう結合されることでキムチ貯蔵庫の外観を良くする。
【００１９】
このようなヒンジ装置３０の結合のために本体１０の後方の上端には図２に示した通り、ヒンジ装置３０が収容され固定できるよう内部にヒンジ装置３０の外形に相応する収容空間１７ａが形成され、その上面が半円状に突出した複数のヒンジ装置の結合部１７が設けられ、蓋部２０の後方端部には結合部１７と対応するよう突出した連結部２１が設けられる。この際、結合部１７の収容空間１７ａに装着されたヒンジ装置３０のヒンジ軸３３は蓋部２０の連結部２１に結合される。ここで、本実施形態はヒンジ装置３０を収容した状態に固定するヒンジ装置結合部１７が本体１０に形成されヒンジ軸３３が連結される連結部２１が蓋部２０に設けられる例を説明しているが、このような実施形態を変更してヒンジ装置結合部１７が蓋部２０に設けられ連結部２１が本体１０に設けられるようにすることもできる。
【００２０】
ヒンジ装置３０は、図４に示した通り、前述した本体１０のヒンジ装置結合部１７に装着され回転が制限されうるように外形が半円状よりなるハウジング３１、３２と、ハウジング３１、３２に結合されるヒンジ軸３３と、ヒンジ軸３３のカム部３４を弾性的に加圧する一対の板バネ３６、そして蓋部２０の開閉時衝撃を減衰させる緩衝部材３７と、を備える。また、ハウジング３１、３２は内部にヒンジ軸３３のカム部３４と、板バネ３６と、緩衝部材３７が収容されるよう一側が開放された中空の胴体部３１と、胴体部３１の開放部分を覆うカバー部３２とから構成される。
【００２１】
ヒンジ軸３３はハウジングの内部に回動自在に設けられるカム部３４と、該カム部３４からハウジングの胴体部３１の一側を貫通して外部に延び蓋部２０の連結部２１に結合される固定部３５とから構成される。また、ハウジングの胴体部３１にはヒンジ軸３３が回動自在に保持されるようにすると共に、固定部３５が胴体部３１の外部に延びるよう閉鎖された側に固定部３５の外径に対応する貫通孔３１ａが形成される。
【００２２】
ハウジングのカバー部３２にはカバー部３２が胴体部３１に結合される時ヒンジ軸３３のカム部３４の一端が回転自在に保持されうるよう貫通孔３２ａが形成され、カバー部３２の周りにはカバー部３２が固定ネジ３８の締結を通して胴体部３１と結合されうるよう複数のネジ孔３２ｂが形成される。このような構成はカバー部３２が胴体部３１に結合された時胴体部３１の貫通孔３１ａとカバー部３２の貫通孔３２ａを通してヒンジ軸３３が回転自在な状態に保持されるようにしたものである。
【００２３】
ヒンジ軸のカム部３４は、図７に示した通り、半径方向に大きい外径の長軸と小さい外径の短軸を有するよう断面の形状が全体的に概略長方形形状に構成される。また、カム部３４は回動中心に対して回転対称位置にそれぞれ位置した二つの曲面部３４ａと、二つの角部３４ｂを有するよう構成される。これは、後述する板バネ３６がカム部３４の外面に密着された状態の時、曲面部３４ａが板バネ３６の表面に滑りながらカム部３４の回転を可能にしたものである。また、カム部３４は板バネ３６がその外面を加圧する際に回転が止まるよう相互隣接する曲面部３４ａと角部３４ｂとの間の区間が平面部３４ｃ、３４ｄで構成される。また、カム部３４の外面には図４に示した通り、カム部３４が回転する際板バネ３６との摩擦が最小化されカム部３４が円滑に回転できるようにするため、通常の潤滑剤が収容される複数の潤滑剤収容溝３４ｅが形成される。潤滑剤収容溝３４ｅはカム部３４の円滑な回転のためにカム部３４の回転方向に長く形成されることが望ましい。
【００２４】
ヒンジ軸３３の固定部３５はカム部３４と一体の射出物より構成され、固定部３５の外面には固定部３５が蓋部２０の連結部２１に形成された軸着穴２３に嵌着されうるように外面両側が平面３５ａで形成され、蓋部２０の軸着穴２３もこれに応ずる形状に設けられる。これは、ユーザが蓋部２０を開閉する際ヒンジ軸３３が蓋部２０と共に回転するようにしたものである。
【００２５】
また、ヒンジ軸３３の固定部３５とカム部３４の境界部にはヒンジ軸３３がハウジングの胴体部３１の内部で円滑に回転し安定した支持が可能なようにカム部３４の外径より大きなフランジ部３３ａが形成され、該フランジ部３３ａにはユーザが蓋部２０を開ける時に開放状態が制限されうるようヒンジ軸３３の回動を制限する係止爪３３ｂが形成される。そして、係止爪３３ｂの位置と対応するハウジングの胴体部３１の内面には係止爪３３ｂがかかる回動制限爪３１ｂが形成される。
【００２６】
一対の板バネ３６は弾性を有する鋼鉄材金属板で構成され、ハウジング胴体部３１内のカム部３４の上側と下側でカム部３４の外面を弾性的に加圧するよう設けられる。また、二つの板バネ３６はカム部３４の回転時カム部３４に偏心力が作用しないよう相互平行を維持するよう設けられ、二つの板バネ３６の両端がハウジングの胴体部３１の両側内面に形成された保持溝３１ｃにそれぞれ挟込まれて保持される。このような構成は断面形状が長軸と短軸を有するよう構成され、かつ外面に曲面部３４ａと平面部３４ｃ、３４ｄが設けられたカム部３４の外面を二つの板バネ３６が加圧することによりユーザが蓋部２０を開ける時蓋部２０が開く方向Ａに回動し、蓋部２０を閉める時閉まる方向Ｂに回動させて蓋部２０の容易な開閉を可能にしたものである。
【００２７】
この際、蓋部２０が完全に開いたり閉まった状態で板バネ３６がカム部３４の平面部３４ｃ、３４ｄを加圧する際ヒンジ軸３３が開いたり閉まる方向に回転しようとする力を有することによる蓋部２０の揺れを防止できるようカム部の平面部３４ｃ、３４ｄは、図５および図７に示した通り、板バネ３６の表面から延びる水平方向接線Ｃについて所定角度θ1、θ2に傾斜した状態を維持させる。これに対する詳細な説明は全体的な動作と共に後述する。
【００２８】
また、前述したヒンジ装置３０の板バネ３６の設置構造は、蓋部２０が断熱体で構成され所定の重さを有するので、ヒンジ軸３３に大きな回転力がかかることを勘案したもので、二つの板バネ３６が上部と下部で大きな弾性力でカム部３４の外面を加圧することにより蓋部２０の容易な開閉を可能にしたものである。各板バネ３６の両端の安定的な支持のためには保持溝３１ｃが形成された胴体部３１の両側の厚さが相対的に厚く形成され剛性を大きくすることが望ましい。
【００２９】
緩衝部材３７は、図４と図７に示した通り、伸縮可能なウレタン、ゴム、スポンジなどの材質よりなり、上側板バネ３６と下側板バネ３６との間のカム部３４の両側に設けられるもので、蓋部２０の開閉によりヒンジ軸３３が回転する際ヒンジ軸３３と板バネ３６に加わる衝撃及び振動を緩和させ蓋部２０の静かな開閉を可能にした。この際、両側の二つの緩衝部材３７はカム部３４の長さに応ずる長さを有するよう長く形成され、蓋部２０が開いた状態の時(図７)、二つの板バネ３６及びカム部３４の両側に接するよう設けられることが望ましい。
【００３０】
次は、このような構成の本発明に係るヒンジ装置の動作を説明する。
図５に示した通り、蓋部２０が閉まった状態の時はヒンジ軸３３のカム部３４が直立した状態になり、カム部３４の上側と下側の板バネ３６はカム部３６の狭幅の平面部３４ｄに接した状態にカム部３４を加圧する。この際、板バネ３６と接するカム部３４の狭い平面部３４ｄは板バネ３６から延びる水平方向接線Ｃについて所定角度θ1傾斜した状態を維持するため、ヒンジ軸３３は蓋部２０が閉まる方向Ｂに回転しようとする性質を有する。
【００３１】
図６に示した通り、ユーザが蓋部２０を開けてヒンジ軸３３が所定角度ほど開く方向に回転すれば、板バネ３６はカム部３４の曲面部３４ａを加圧した状態になる。この際、二つの板バネ３６が接して加圧する地点は回転軸３３の回転中心から偏心された位置なので、ヒンジ軸３３は蓋部２０が開く方向Ａに回転する。従って、この場合はユーザが蓋部２０を強制的に開けなくても蓋部２０が板バネ３６によるヒンジ軸３３の回動により後方側に自ら回動しつつ開く。
【００３２】
図７に示した通り、蓋部２０が完全に開いた時はヒンジ軸３３のカム部３４が横になったままになり、板バネ３６はカム部３４の広幅の平面部３４ｃを加圧した状態になる。また、この場合はヒンジ軸３３に設けられた係止爪３３ｂがハウジング胴体部３１の回動制限爪３１ｂにかかってこれ以上回転しないため蓋部２０の開放状態が制限される。
【００３３】
また、蓋部２０が完全に開いた状態で板バネ３６と接するカム部３３の広い平面部３４ｃは板バネ３６から延びる水平方向接線Ｃについて所定角度θ2傾斜した状態を維持するので、ヒンジ軸３３が蓋部が開く方向Ａに回転しようとする性質を有する。従って、蓋部２０はヒンジ軸３３の係止爪３３ｂが回動制限爪３１ｂに係止状態で開く方向に回転しようとする力を有しているので完全に開いた時揺れが生じなくなる。また、蓋部２０が展開される時ヒンジ軸３３のカム部３４と板バネ３６に伝わる衝撃及び振動は緩衝部材３７を通して減衰されるので蓋部の静かな展開が可能になる。
【００３４】
【発明の効果】
以上述べた通り、本発明に係る貯蔵庫のヒンジ装置は小型化を通してヒンジ装置が本体の外部に突出しない状態で本体と蓋部を連結できるため貯蔵庫の外観を良くすることができ、貯蔵庫の設置のための占有空間を小さくできる。
【００３５】
また本発明はヒンジ装置が従来に比べて小型化され構造が簡単なので製作と設置が容易になる。
【００３６】
それから、本発明は一対の板バネがヒンジ軸のカム部を強く加圧してヒンジ軸の回動がなされるようにし、これを通して蓋部が開いたり閉まる方向に回動するようにする構造なので、蓋部の容易な開閉を可能にする。
【図面の簡単な説明】
【図１】  従来のキムチ貯蔵庫の内部構成及び蓋部装着構造を示した断面図である。
【図２】  本発明が適用されたキムチ貯蔵庫の外形及び蓋部装着構造を示した斜視図である。
【図３】  本発明に適用されたキムチ貯蔵庫の内部構成及び蓋部装着構造を示した断面図である。
【図４】  本発明に係る貯蔵庫のヒンジ装置構成を示した分解斜視図である。
【図５】  本発明に係る貯蔵庫のヒンジ装置構成を示した断面図であって、蓋部が閉まった状態を示した図である。
【図６】  本発明に係る貯蔵庫のヒンジ装置構成を示した断面図であって、蓋部が一部開いた状態を示した図である。
【図７】  本発明に係る貯蔵庫のヒンジ装置構成を示した断面図であって、蓋部が完全に開いた状態を示した図である。
【符号の説明】
１０  本体
２０  蓋部、
３０  ヒンジ装置
３１  ハウジングの胴体部
３１ｂ  回動制限爪
３１ｃ  保持溝
３２  ハウジングのカバー部
３３  ヒンジ軸
３３ｂ  係止爪
３４  ヒンジ軸のカム部
３４ｅ  潤滑剤収容溝
３５  ヒンジ軸の固定部
３６  板バネ
３７  緩衝部材
【図１】
0003638913.tif 000002
【図２】
0003638913.tif 000003
【図３】
0003638913.tif 000004
【図４】
0003638913.tif 000005
【図５】
0003638913.tif 000006
【図６】
0003638913.tif 000007
【図７】
0003638913.tif 000008